(57)【要約】【課題】蓋体を障害物等に衝突させる虞を減ずることができる掃除機を提供すること。【解決手段】外殻体２４及びこの外殻体２４に対して開閉自在に取り付けられた蓋体２５によって規定される集塵室２６が形成された掃除機本体２を有する掃除機１において、前記外殻体２４に、前記蓋体２５の周囲を囲むように突条部２７を形成することで、前記掃除機１の使用中等に、前記掃除機本体２が障害物等に衝突しても、前記蓋体２５の外縁２５Ａが前記突条部２７によって保護されているので、前記蓋体２５が開いたり破損したりする虞を減ずることができる。【選択図】図４
2008142195.tif 000002
【特許請求の範囲】
【請求項１】
外殻体及びこの外殻体に対して開閉自在に取り付けられた蓋体によって規定される集塵室が形成された掃除機本体を有する掃除機において、前記外殻体が、前記蓋体の周囲を囲むように形成された突条部を有することを特徴とする掃除機。
【請求項２】
前記掃除機本体が前記突条部と繋がる把持部を有すると共に、この把持部と前記蓋体の外縁との間に間隔が設けられていることを特徴とする請求項１記載の掃除機。
【発明の詳細な説明】
【技術分野】
【０００１】
本発明は、掃除機に関するものである。
【背景技術】
【０００２】
従来、この種の掃除機としては、内部に集塵室を有する掃除機本体を、上本体と下本体（何れも、本発明の外殻体に相当する）と集塵室蓋（本発明の蓋体に相当する）とで構成したものが知られている（例えば、特許文献１参照。）。そして、これらの掃除機においては、前記集塵室蓋を閉じた際に、この集塵室蓋と上本体との間から前記集塵室内に外気が流入しないように構成されている。
【特許文献１】特開２００６−２２３４３０号公報
【発明の開示】
【発明が解決しようとする課題】
【０００３】
しかしながら、このような掃除機においては、使用中に前記掃除機本体が障害物等に衝突することで、その衝撃によって前記集塵室蓋が開いてしまう虞があった。そして、このように使用中に集塵室蓋が開いてしまうと、外気が前記集塵室蓋と上本体との間から前記集塵室内に流入してしまい、塵埃を含んだ気流がノズルから吸い込まれなくなってしまうという問題があった。また、このように集塵室蓋が何度も障害物等に衝突してしまうと、この集塵室蓋が破損してしまい、破損個所から外気が前記集塵室内に流入してしまうことで、前記ノズルからの吸込効率が低下してしまう虞があるばかりでなく、集塵室蓋が開かなくなってしまう虞もあった。
【０００４】
本発明は以上の問題点を解決し、蓋体を障害物等に衝突させる虞を減ずることができる掃除機を提供することを目的とする。
【課題を解決するための手段】
【０００５】
本発明の請求項１に記載の掃除機は、外殻体及びこの外殻体に対して開閉自在に取り付けられた蓋体によって規定される集塵室が形成された掃除機本体を有する掃除機において、前記外殻体が、前記蓋体の周囲を囲むように形成された突条部を有するものである。
【０００６】
また、本発明の請求項２に記載の掃除機は、請求項１において、前記掃除機本体が前記突条部と繋がる把持部を有すると共に、この把持部と前記蓋体の外縁との間に間隔が設けられているものである。
【発明の効果】
【０００７】
本発明の請求項１に記載の掃除機は、以上のように構成することにより、前記蓋体の周囲が前記突条部によって囲まれることで、前記掃除機本体を障害物等に衝突させてしまっても、前記蓋体の外縁が前記突条部によって保護されるので、前記蓋体が開いたり破損したりする虞を減ずることができる。
【０００８】
また、前記突条部と繋がる把持部と前記蓋体の外縁との間に間隔を設けたことで、この間隔から手を入れて前記蓋体を開くことができるばかりでなく、前記把持部によっても前記蓋体の外縁を保護することができる。
【発明を実施するための最良の形態】
【０００９】
以下、本発明の実施形態について、図１乃至図４に基づいて説明する。なお、本実施形態において、図１乃至図３に記載されているＸ軸方向を左右、Ｙ軸方向を上下、Ｚ軸方向を前後と定義する。
【００１０】
１は本発明の掃除機である。この掃除機１は、掃除機本体２と、この掃除機本体２に対して基端側が着脱自在に取り付けられるホース部３と、このホース部３の先端側が基端側に取り付けられる延長管部４と、この延長管部４の先端画に着脱自在に取り付けられるノズル部５とを有して構成されている。なお、前記掃除機本体２は、図１及び図２において、掃除機本体２の正面が上面、掃除機本体２の背面が底面、掃除機本体２の上面が正面、掃除機本体２の底面が背面となる姿勢で立て置かれている。（即ち、図１において、右側が正面となる。）また、前記延長管部４は、図１において右側、図３において正面となっている側を正面とする。
【００１１】
前記掃除機本体２は、運搬用の把持部６、前輪７及び後輪８を有している。また、前記掃除機本体２の下前（図１における左上）側には、後述する掛止部２１を受けるための掛止受部９が形成されている。
【００１２】
また、前記ホース部３は、基端側接続部１０と、伸縮型の蛇腹ホース１１と、先端側接続部１２とを有して構成されている。なお、前記基端側接続部１０は、前記掃除機本体２の正面（図１及び図２における上面）の左右（Ｘ軸）方向中央に形成された図示しない差込口に差し込んで固定されるように構成されている。また、前記先端側接続部１２は、前記延長管部４の基端側の後述する接続受部１６に、前記延長管部４に対して回動自在に接続されている。更に、前記蛇腹ホース１１は、被覆１１Ａと螺旋状の図示しない芯線とを有して構成されており、この芯線がバネ性を有することで、前記蛇腹ホース１１は常態において収縮しており、使用者によって引っ張られることで伸びるように構成されている。
【００１３】
また、前記延長管部４は、第一管部１３と、この第一管部１３の内側に挿入される第二管部１４と、この第二管部１４の内側に挿入される第三管部１５とを有してテレスコピック状に構成されている。そして、前記第一管部１３の基端側には、前記ホース部３の先端側接続部１２を回動自在に受けるための接続受部１６が形成されている。また、前記第一管部１３の基端側の正面側には、把持部１７が設けられている。そして、この把持部１７の基端（図３における前記把持部１７の下）側には、前記掃除機本体２を作動させたり停止させたりするための操作部１８が設けられていると共に、前記把持部１７の先端（図３における前記把持部１７の上）側、即ち実際に使用者が把持する部分には、溝部１９が形成されている。なお、この溝部１９は、前記把持部１７の外面の長さ方向に沿って形成されており、前記延長管部４を直立させた状態における正面視（図３の状態）において、左右（Ｘ軸）方向に殆どずれず、前後（Ｚ軸）方向及び上下（Ｙ軸）方向にほぼ真っ直ぐ形成されている。（なお、ここで言う「前後（Ｚ軸）方向及び上下（Ｙ軸）方向に真っ直ぐ」とは、前後（Ｚ軸）方向及び上下（Ｙ軸）方向に直線的に延びているという意味ではなく、前記延長管部４を直立させた状態における正面視（図３の状態）では上下（Ｙ軸）方向に真っ直ぐ延びているように見え、また、平面視では前後（Ｚ軸）方向に真っ直ぐ延びているように見える状態を指している。即ち、これは、前記溝部１９が三次元空間におけるＹ−Ｚ（高さ−奥行き）平面と平行となっており、Ｘ軸（左右）方向にずれないという状態を指している。）
【００１４】
また、前記第一管部１３の先端側の正面（図１における右）側には、端部が前記第一管部１３における先端側（図１及び図３における下方）を向いた鉤状の掛止部２０が形成されており、この掛止部２０が前記掛止受部９に係合するように構成されている。また、前記第一管部１３の先端側の正面（図１における右）側には押し釦２１が設けられており、この押し釦２１を押した状態で前記第二管部１４を前記第一管部１３に対して軸方向に摺動させることができると共に、前記押し釦２１を離すことで前記第一管部１３と第二管部１４との位置関係を固定させることができる。また、前記第二管部１４の先端側の正面（図１における右）側にも押し釦２２が設けられており、この押し釦２２を押した状態で前記第三管部１５を前記第二管部１４に対して軸方向に摺動させることができると共に、前記押し釦２２を離すことで前記第二管部１４と第三管部１５との位置関係を固定させることができる。即ち、前記押し釦２１を押すことで、前記第一管部１３に対して前記第二管部１４を摺動させ、前記押し釦２２を押すことで、前記第二管部１４に対して前記第三管部１５を摺動させ、これによって、前記延長管部４の長さを適宜調節することができる。更に、前記第三管部１５の先端側の正面（図１における右）側にも押し釦２３が設けられており、この押し釦２３を押した状態で前記ノズル部５が挿脱自在となり、前記押し釦２３を離すことで、前記第三管部１５の先端側に前記ノズル部５を固定させることができる。
【００１５】
前記掃除機本体２について詳述する。この掃除機本体２は、上外殻体２４Ａと下外殻体２４Ｂとで構成される外殻体２４と、蓋体２５とを有して構成されている。そして、前記蓋体２５は、前記上外殻体２４Ａに形成された開口部２４Ｃを開閉するように、前記上外殻体２４Ａに取り付けられている。また、前記外殻体２４と蓋体２５とで囲まれるように、集塵室２６が定義される。そして、前記上外殻体２４Ａには、前記蓋体２５によって前記開口部２４Ｃを閉じた際に、前記蓋体２５の外縁２５Ａを囲むように、突条部２７が形成されている。なお、前記把持部６は、前記突条部２７と連続して繋がっており、前記把持部６と前記蓋体２５の外縁２５Ａとの間には間隔が設けられている。（従って、前記蓋体２５の外縁２５Ａと前記把持部６の間には、突条部２７が形成されておらず、前記把持部６が後述する前記突条部２７の作用を果たす。）また、前記突条部２７の内側で且つ前記上外殻体２４Ａと蓋体２５の間には、パッキン２８が設けられている。
【００１６】
次に、本実施形態の作用について説明する。前記掃除機１を使用する場合、まず使用者は、前記把持部６を把持して前記掃除機１を清掃する場所まで運搬する。そして、前記延長管部４を把持し、前記掛止部２０を前記掛止受部９から取り外すことで、前記延長管部４を前記掃除機本体２から取り外し、更に、前記ホース部３に対して前記延長管部４を軸回りに回動させる。この時、前述したように、前記ホース部３の先端側接続部１２が、前記延長管部４の第一管部１３の接続受部１６によって回動自在に受けられているので、前記先端側接続部１２に対して前記接続受部１６が回動することで、前記ホース部３に対して前記延長管部４が軸回りに回動する。そして、必要に応じ、前記押し釦２１を操作して前記第一管部１３から前記第二管部１４を軸方向に引き出し、また、前記押し釦２２を操作して前記第二管部１４から第三管部１５を軸方向に引き出すことで、前記延長管部４を適宜長さに調節する。そして、前記掃除機本体２を、図１及び図２に示される状態から倒し、前記前輪７及び後輪８を床等に接地させる。更に、図示しない電源コードを前記掃除機本体２から引き出し、交流電源に接続する。このようにして、前記掃除機１が使用可能な状態となる。
【００１７】
この状態で、使用者が前記把持部１７を把持し、前記操作部１８を操作すると共に、前記ノズル部５を床に沿って移動させることで、前記掃除機本体２内の図示しない電動送風機が作動し、前記ノズル部５の図示しない開口部から塵埃を含む気流が吸引され、この気流が前記延長管部４、ホース部３を経て前記掃除機本体２内の前記集塵室２６に至り、この集塵室２６内の図示しない集塵バッグで気流から塵埃が分離され、塵埃が除かれた空気が前記掃除機本体２の図示しない排気口から排出される。なお、前述したように、前記ホース部３の蛇腹ホース１１が常態において収縮した伸縮型であるため、使用者が前記把持部１７を把持して前記延長管部４を動かすことで、前記蛇腹ホース１１が引っ張られて適宜長さに伸びる。また、前記把持部１７を把持してあらゆる方向に動かすことで、前記ホース部３が捻れることが起こり得るが、前述したように、前記ホース部３の先端側接続部１２に対して、前記延長管部４の第一管部１３の接続受部１６が回動自在であるので、前記先端側接続部１２が前記接続受部１６に対して回動することで、前記ホース３に生じた捻れが解消される。
【００１８】
なお、この掃除機１を使用する場合、前記掃除機本体２が引っ張られて移動する。この際、前記掃除機本体２が障害物等に衝突する虞がある。しかしながら、前記掃除機本体２が障害物等に衝突したとしても、前記蓋体２５の外縁２５Ａが、前記蓋体２５の周囲を囲むように設けられた前記突条部２７によって保護されているので、前記蓋体２５に障害物等が衝突する虞を減ずることができる。また、前記蓋体２５を開閉させやすいようにするために、前記掃除機本体２の正面側（図２のように立て置かれた状態では上面）の一部には前記突条部２７が形成されていない。しかしながら、この部分は、前記突条部２７と連続して繋がっている前記把持部６によって保護されているので、前記掃除機本体２が障害物等に衝突したとしても、前記蓋体２５に障害物等が衝突する虞を減ずることができる。従って、前記掃除機１を使用する際に、前記掃除機本体２が障害物等に衝突しても、この障害物等が衝突するのが前記突条部２７であり、前記蓋体２５の外縁２５Ａには障害物等が衝突しにくいので、衝突の衝撃によって前記蓋体２５が開いてしまうという虞を減ずることができるばかりでなく、前記蓋体２５の破損の虞も減ずることができる。なお、前記集塵室２６の開放は、前記把持部６と前記蓋体２５の外縁２５Ａとの間に指を入れて前記蓋体２５の外縁２５Ａに指を掛けることで行われる。
【００１９】
次に、前記掃除機１を片付ける場合、まず使用者は、図示しない電源コードを交流電源から外し、前記掃除機本体２に収容する。そして、前記掃除機本体２を、前記前輪７及び後輪８が床等に接地した状態から起こし、図１及び図２に示されように、前記掃除機本体２の正面が上面、前記掃除機本体２の背面が底面となる姿勢に立て置く。なお、この状態において、前記掛止受部９の開口は上方を向くことになる。そして、前記第一管部１３から前記第二管部１４が引き出されていた場合、前記押し釦２１を操作して前記第一管部１３の軸方向に前記第二管部１４を押し込み、また、前記第二管部１４から第三管部１５が引き出されていた場合、前記押し釦２２を操作して前記第二管部１４の軸方向に前記第三管部１５を押し込むことで、前記延長管部４を最短状態とする。更に、前記延長管部４の第一管部１３に設けられた前記掛止部２０を前記掛止受部９に係合させることで、前記掃除機本体２に前記延長管部４及びこの延長管部４に接続された前記ノズル部５が保持される。なお、前述したように、前記掛止受部９が前記掃除機本体２の下前（図１における左上）側に設けられていると共に、前記掛止部２０が前記第一管部１３の正面（図１における右）側に設けられているので、前記延長管部４が前記掃除機本体２に保持された状態において、前記掃除機本体２の下面（図１における左）側と前記延長管部４の正面（図１における右）側が向かい合うことになる。また、前記把持部１７も前記第一管部１３の正面（図１における右）側に設けられているので、前記延長管部４が前記掃除機本体２に保持された状態では、図１に示すように、前記把持部１７が前記掃除機本体２側を向くことになる。更に、前述したように、端部が前記第一管部１３における先端（図１における下）側を向く鉤状に前記掛止部２０が形成されているので、図１の姿勢において開口が上方を向いた前記掛止受部９に前記掛止部２０を係合させることで、図１に示すように、前記延長管部４の先端側が下方、基端側が上方となるように、即ち、前記把持部１７側が上方、前記ノズル部５側が下方となるように、前記延長管部４が前記掃除機本体２に保持されることになる。なお、前述したように、前記延長管部４が最短状態となっていることで、この延長管部４を保持した状態の前記掃除機１全体の高さを低く抑えることができる。
【００２０】
なお、このように前記延長管部４の正面側が前記掃除機本体２の下面側と向き合って保持された状態では、使用時の初期状態に対して前記延長管部４が前記ホース部３の軸回りにほぼ１８０度捻れることになるが、前述したように、前記ホース部３の先端側接続部１２に対して、前記延長管部４の第一管部１３の接続受部１６が回動自在であるので、前記先端側接続部１２を前記接続受部１６に対して軸回りに回動させることで、前記ホース部３の蛇腹ホース１１に生じた捻れが解消される。そして、この捻れが解消された前記蛇腹ホース１１が、前記把持部１７に形成された溝部１９に掛けられる。この際、前記延長管部４が最短状態であることで、前記把持部１７の上端が低くなり、これによって、前記基端側接続部１０から前記把持部１７の上端を経て前記先端側接続部１２に至る、前記蛇腹ホース１１を保持するための経路の長さが短くなってしまっているが、前述したように、前記蛇腹ホース１１が常態において収縮した伸縮型であるため、前記蛇腹ホース１１が前記溝部１９に掛けられた状態において収縮することで、前記蛇腹ホース１１が遊びのない整然とした状態となるので、見苦しくないようにすることができるばかりでなく、多少の外力では前記蛇腹ホース１１が前記溝部１９から外れないようにすることができる。
【００２１】
また、前記掃除機本体２の図示しない差込口及び前記掛止受部９が前記掃除機本体２の左右方向ほぼ中央に形成されており、また、前記把持部１７に形成された溝部１９及び前記掛止部２０が、前記延長管部４の左右方向ほぼ中央に形成されていることで、前記掃除機本体２及びこれに保持される延長管部４の左右方向中央がほぼ一致することになり、これによって、前記差込口に差し込んで固定される前記基端側接続部１０と、前記延長管部４の接続受部１６に接続される前記先端側接続部１２と、前記把持部１７とが、正面視で前記掃除機本体２の中央を通る垂直な直線上にほぼ重なることになる。これによって、前記蛇腹ホース１１の先端側と基端側と前記溝部１９に掛かる部分が左右方向にずれず、前記蛇腹ホース１１が前後方向及び上下方向に対してほぼ真っ直ぐな状態となるので、前記蛇腹ホース１１の前記溝部１９に掛かる部分が前記把持部１７の溝部１９の形成方向とほぼ一致し、これによって、前記蛇腹ホース１１が前記溝部１９から外れないようにすることができる。なお、「前後方向及び上下方向に真っ直ぐ」の定義は、前述した通りである。また、前記蛇腹ホース１１が整然とした状態となるので、より見苦しくないようにすることができる。
【００２２】
以上のように本発明は、外殻体２４及びこの外殻体２４に対して開閉自在に取り付けられた蓋体２５によって規定される集塵室２６が形成された掃除機本体２を有する掃除機１において、前記外殻体２４に、前記蓋体２５の周囲を囲むように突条部２７を形成することで、前記掃除機１の使用中等に、前記掃除機本体２が障害物等に衝突しても、前記蓋体２５の外縁２５Ａが前記突条部２７によって保護されているので、前記蓋体２５が開いたり破損したりする虞を減ずることができるものである。また、前記掃除機本体２が前記突条部２７と繋がる把持部６を有すると共に、この把持部６と前記蓋体２５の外縁２５Ａとの間に間隔が設けられていることにより、この間隔から手を入れて前記蓋体２５を開くことができるばかりでなく、前記把持部６によっても前記蓋体２５の外縁２５Ａを保護することができるものである。
【００２３】
なお、本発明は以上の実施形態に限定されるものではなく、発明の要旨の範囲内で種々の変形実施が可能である。例えば、上記実施形態は、掃除機本体とノズル部がホース部によって接続された型式の掃除機であるが、スティック型の掃除機等でも適用可能である。
【図面の簡単な説明】
【００２４】
【図１】本発明の一実施形態を示す掃除機の側面図である。
【図２】本発明の一実施形態を示す掃除機の正面図である。
【図３】本発明の一実施形態を示す掃除機の把持部、延長管部及びノズル部の正面図である。
【図４】本発明の一実施形態を示す掃除機の掃除機本体のＡ−Ａ断面図である。
【符号の説明】
【００２５】
１  掃除機
２  掃除機本体
６  把持部
２４  外殻体
２５  蓋体
２５Ａ  外縁
２６  集塵室
２７  突条部
【図１】
2008142195.tif 000003
【図２】
2008142195.tif 000004
【図３】
2008142195.tif 000005
【図４】
2008142195.tif 000006
【手続補正書】
【提出日】平成19年6月22日(2007.6.22)
【手続補正１】
【補正対象書類名】明細書
【補正対象項目名】００１０
【補正方法】変更
【補正の内容】
【００１０】
１は本発明の掃除機である。この掃除機１は、掃除機本体２と、この掃除機本体２に対して基端側が着脱自在に取り付けられるホース部３と、このホース部３の先端側が基端側に取り付けられる延長管部４と、この延長管部４の先端側に着脱自在に取り付けられるノズル部５とを有して構成されている。なお、前記掃除機本体２は、図１及び図２において、掃除機本体２の正面が上面、掃除機本体２の背面が底面、掃除機本体２の上面が正面、掃除機本体２の底面が背面となる姿勢で立て置かれている。（即ち、図１において、右側が正面となる。）また、前記延長管部４は、図１において右側、図３において正面となっている側を正面とする。